(57)【要約】データ記憶システムと、関連の非同期通信システム及び方法が記述される。データ記憶システムは、データを格納するデータ記憶手段(46)と、IEEE1394ネットワークで通信するように構成された非同期送信機／受信機(45)とを有する。データ記憶手段(46)は、入力を受け入れてアクセス制限コネクタを介して出力するように構成される。格納されたデータのうち少なくとも選択されたデータファイルはコピー制御制限情報を有し、データ記憶手段からのコピー制御制限情報を有するデータファイルへの要求は、認証の成功時にのみアクセス制限コネクタにより許可される。許可された要求ファイルは、送信機／受信機(45)により暗号化及び非同期伝送される。
2006506730.tif 000002
【特許請求の範囲】
【請求項１】
データを格納するデータ記憶手段と、IEEE1394ネットワークで通信するように構成された非同期送信機／受信機とを有するデータ記憶システムであって、
前記データ記憶手段は、入力を受け入れてアクセス制限コネクタを介して出力するように構成され、
前記格納されたデータのうち少なくとも選択されたデータファイルはコピー制御制限情報を有し、
前記データ記憶手段からの前記コピー制御制限情報を有するデータファイルへの要求は、認証の成功時にのみ前記アクセス制限コネクタにより許可され、
許可された要求ファイルは、前記送信機／受信機により暗号化及び非同期伝送されるデータ記憶システム。
【請求項２】
請求項１に記載のデータ記憶システムであって、
前記送信機／受信機は、DTCP仕様に従って動作するデータ記憶システム。
【請求項３】
請求項１又は２に記載のデータ記憶システムであって、
前記アクセス制限コネクタは、IEEE1394ブリッジであるデータ記憶システム。
【請求項４】
請求項１乃至３のうちいずれか１項に記載のデータ記憶システムであって、
前記記憶手段は、シリアルバス2プロトコルデータ記憶装置を有するデータ記憶システム。
【請求項５】
請求項１乃至４のうちいずれか１項に記載のデータ記憶システムを組み込んだMP3プレイヤ。
【請求項６】
シンクとソースとを有する非同期データ通信システムであって、
少なくとも前記シンクは、請求項１乃至４のうちいずれか１項に記載のデータ記憶システムを組み込み、
前記ソースは、前記シンクの前記データ記憶装置と通信し、前記ソースから前記シンクへの非同期暗号化データ転送を容易にするように構成された認証及び暗号化システムを有する非同期データ通信システム。
【請求項７】
請求項６に記載の非同期データ通信システムであって、
前記シンクに接続されたIEEE1394ネットワーク及び前記ソースに接続された他のネットワークと通信する中間システムを更に有し、
前記ソースと前記シンクとの間で伝送される非同期データパケットは、前記中間システムを介して伝送され、
前記中間システムは、宛先ネットワークへの前方伝送の前に、受信データパケットを前記宛先ネットワークの適切なネットワークコマンドセットに変換するように構成されたブリッジを有する非同期データ通信システム。
【請求項８】
請求項６又は７に記載の非同期データ通信システムであって、
送信データファイルは、コピー制御情報と鍵変更情報とを有するヘッダを有する非同期データ通信システム。
【請求項９】
入力を受け入れてアクセス制限コネクタを介して出力するように構成され、格納されたデータのうち少なくとも選択されたデータファイルはコピー制御制限情報を有するデータ記憶手段にデータを格納し、
認証の成功時にのみ、前記データ記憶手段からの前記コピー制御制限情報を有するデータファイルへの要求を許可し、
要求の許可時に、要求ファイルを暗号化及び非同期伝送することを有するデータ記憶及び伝送方法。
【請求項１０】
請求項９に記載のデータ記憶及び伝送方法であって、
前記暗号化及び伝送ステップは、DTCP仕様に従う方法。
【請求項１１】
請求項１０に記載のデータ記憶及び伝送方法であって、
前記要求ファイルを暗号化及び伝送することは、
前記ファイルから少なくとも１つのデータパケットを生成し、各パケットは、
DTCP及びIEEE1394ネットワークで使用されるヘッダと一致した標準ヘッダと、
CII情報を伝えるために使用されるEMIフィールドと、鍵変更通知を伝えるために使用される奇数偶数フィールドとを有し、前記フィールドは等時性パケットのDTCP仕様と同一であるペイロードヘッダと、
暗号化データを有し、前記データを暗号化してDTCPセキュリティコマンドにマッピングするために拡張AV/Cコマンドが実装されるペイロードと
を有し、
生成された各データパケットをIEEE1394バスで非同期伝送することを有する方法。
【請求項１２】
請求項９乃至１１のうちいずれか１項に記載のデータ記憶及び伝送方法であって、
第１のネットワークで動作して第２のネットワークから通信を受け入れ、前記第２のネットワークから要求を受信すると、中間システムが前記第１及び第２のネットワークをブリッジするステップを更に有し、
要求ファイルを伝送するステップは、前記中間システムに伝送し、前記中間システムが受信データを前記第２のネットワークの適切なネットワークコマンドセットに変換し、前記変換されたデータを前記第２のネットワークに伝送するステップを更に有する方法。
【請求項１３】
IEEE1394バスで伝送される非同期データを安全化する方法であって、
ファイルを要求し、
DTCP仕様に従って前記ファイルの送信者と受信者との間で認証及び鍵交換を実行し、
前記ファイルから少なくとも１つのデータパケットを生成し、各パケットは、
DTCP及びIEEE1394ネットワークで使用されるヘッダと一致した標準ヘッダと、
CII情報を伝えるために使用されるEMIフィールドと、鍵変更通知を伝えるために使用される奇数偶数フィールドとを有し、前記フィールドは等時性パケットのDTCP仕様と同一であるペイロードヘッダと、
暗号化データを有し、前記データを暗号化してDTCPセキュリティコマンドにマッピングするために拡張AV/Cコマンドが実装されるペイロードと
を有し、
生成された各データパケットをIEEE1394バスで非同期伝送し、
各データパケットを受信及び解読することを有する方法。
【発明の詳細な説明】
【技術分野】
【０００１】
本発明は、コピー制御を組み込んだ非同期通信システムに関するものであり、特にMP3ファイル等の安全な転送に適用可能である。
【背景技術】
【０００２】
PC及び家庭用電化製品(CE)装置のデジタル化の集中は、産業に非常に大きい期待を有する。それはまた、差し迫った課題を引き起こしている。著作権のあるコンテンツが侵害される際の何億ドルもの単なる見通しは、デジタルドメインでのコンテンツの発行を制限するのに十分である。実際に、ある会社は、コンテンツがデジタルドメインに転送されることを回避する技術を開発している。その例には、オーディオデータのリッピングを回避するためにHiFiで再生可能であるのにCD-ROMドライブでは読み取り不可能であるように設計されたCDが含まれる。CDにエラーを生成する多様なシステムが存在し、そのエラーはHiFi  CDプレイヤでは訂正されるが、CD-ROMドライブではディスクを読み取り不可能にする。
【０００３】
ユーザに反感を作る以外に、１つの潜在的な問題は、これらのシステムは私的な非商用のユーザに対して音楽を記録することを制限し、他の媒体にデータを家庭で記録すること及び／又は転送することを許可する法律に反する可能性があるという点がある。
【０００４】
これに対処するため、デジタルコンテンツのデータの適法なコピー／移動を可能にする多数の提案が行われてきた。
【０００５】
ある既存の提案は、創作者のみがファイルを取り出すことができるように、装置に暗号化されたデータを格納しようとする。しかし、MP3プレイヤの場合には、MP3プレイヤはファイルを再生する毎に解読する必要があり、再生中に早送り／巻き戻しをする際に問題を生じるのみならず、ファイル毎に解読鍵をローカルに格納する必要があり、システムのセキュリティに他のオーバーヘッドや潜在的な弱点の原因を提示するため、既存の提案は望ましくない。
【０００６】
Digital  Transmission  Licensing  Authority(DTLA)は、等時性伝送に対応するIEEE1394バス仕様のコンテンツ保護システムを提案している。そのシステムは、著作権のあるコンテンツ及び他の有用なコンテンツが等時性伝送中に無許可のコピーから保護され得るように、コンテンツ保護を提供する。そのシステム仕様はDigital  Transmission  Control  Protocol(DTCP)と呼ばれ、参照として組み込まれる。
【０００７】
ネットワークの全てのノードが伝送されているデータにアクセスし、更なるコピーを取ることができるため、安全な等時性通信を提供することは重要である。送信者と受信者の識別表示(又は少なくともいくつかの識別子)が双方の当事者に認識されている非同期伝送に対して、等時性伝送の実装は、シンク(受信)装置がソース(送信)装置により必ずしも認識されないことがあるブロードキャストの形式を一般的にとる。
【０００８】
等時性伝送の場合、一般的にコンテンツデータはIEEE1394バスで伝送されるが、制御データは非同期制御パケットを使用して伝送される。必要なコンテンツ保護を提供するために、DTCPは、等時性伝送が伝送中に対称暗号システムを使用して暗号化されることを要求する。
【０００９】
DTCPシステムでは、IEEE1394バスで等時性伝送にアクセスする際に、最初にシンク装置(データの受信者)はソース装置(データの所有者)と認証を行う。認証中に、シンク装置が受信時に等時性伝送をデコードすることができるように、適切な暗号化／解読鍵が取得又は承諾される。
【００１０】
このシステムの特別の利点は、暗号化が通信スタックのリンクレイヤで生じることである。従って、コンテンツはリンクレイヤの上で暗号化されずに利用可能であり、データが暗号化されている場合よりトリック再生(trick  play)や検索のようなアプリケーション機能の実装を容易にする。
【００１１】
コピー制御システムもまたDTCP仕様に組み込まれている。このように、コンテンツの所有者は、どのようにコンテンツが使用されるか(“一度のコピー”、“コピー不可”等)を指定することができる。この情報はコピー制御情報(CCI:copy  control  information)としてコンテンツデータに埋め込まれ、等時性伝送で通信される。コンテンツデータの前方伝送は、CCI状態に応じてIEEE1394バス及びIEEE1394装置により制限される。
【００１２】
リンクレイヤの解決策は、２つの装置間でリンクを暗号化し、データからの埋め込まれたコピー制御情報(CCI)を使用して、データが暗号化される必要があるか又は実際に送信することができるかを決定する。各端点で、データはデータに格納されているCCIで解読されて格納される。このように、装置間の通信は安全になる。
【発明の開示】
【発明が解決しようとする課題】
【００１３】
この構成の１つの特別の課題は、DTCPが等時性ストリーミングにのみ適用され、非同期伝送に適用されないことである。この１つの最初の理由は、非同期伝送が等時性伝送ほど安全でなくはないからである。更に、非同期コンテンツ伝送の用途が予想されなかったからである。DVDプレイヤのような新世代の装置はデジタル出力ポートを有する。しかし、このデータは、等時性配信でDTCPを使用してデジタル出力ポートから送信された場合にのみ保護される。携帯用プレイヤの場合、データの等時性転送は、装置によるリアルタイムのストリーミングを必要とする。
【００１４】
安全性を維持しつつ、携帯用プレイヤでリアルタイムストリーミング以外によりデータをコピーできることが望ましい。これは、特にMP3プレイヤおよび類似のデジタルコンテンツ記憶装置に適用可能である。IEEE1394バスでの非同期配信は、非リアルタイムでのファイルの転送に適した信頼性の高い認知された配信機構である。それに対して、等時性伝送は(相対的に言って)認知されておらず、信頼性もない。迅速な処理についてリアルタイム配信が必要ない場合、非同期伝送は等時性伝送に対して信頼性があるという利点を有する。あるIEEE1394バスにおいて、より高速の伝送用に非同期伝送が圧縮され得るという場合がある。
【課題を解決するための手段】
【００１５】
本発明の一態様によると、データを格納するデータ記憶手段と、IEEE1394ネットワークで通信するように構成された非同期送信機／受信機とを有するデータ記憶システムが提供され、データ記憶手段は、入力を受け入れてアクセス制限コネクタを介して出力するように構成され、格納されたデータのうち少なくとも選択されたデータファイルはコピー制御制限情報を有し、データ記憶手段からのコピー制御制限情報を有するデータファイルへの要求は、認証の成功時にのみアクセス制限コネクタにより許可され、許可された要求ファイルは、送信機／受信機により暗号化及び非同期伝送される。
【００１６】
本発明は、記憶装置に配信される情報が記憶媒体にあるときと同様にリンクでも安全であるように、記憶装置とその他の装置との間の安全なリンクを提供する非同期通信システムを提供することを目的とする。
【００１７】
DTCPアルゴリズムはIEEE1394(1394)バスの非同期部分に適用されることが好ましい。
【００１８】
記憶装置に対するハードウェアの安全性の要件は、装置に格納されたデータへの唯一の物理的なアクセス手段としてIEEE1394コネクタ(一般的にはIEEE1394ブリッジ)を含めることにより、対処される。シリアルバスプロトコル2(Serial  Bus  Protocol  2)、IEEE1394標準の非同期HDDプロトコルに準拠するように、IEEE1394記憶装置が使用されることが好ましい。
【００１９】
この手法は、伝送中にデータに対する暗号化を提供することで、DTCPが行っているのと同様にリンクを安全化する。データは双方の端点で解読されて格納されるが、送信又は受信される前に何らかの装置の暗号化レイヤを通過しなければならない。このように、真の装置のみが格納されたデータにアクセスすることができ、暗号化不可能な装置は認証することができないため、データにアクセスすることができない。
【００２０】
送信機／受信機はDTCP仕様に従って動作することが好ましい。
【００２１】
アクセス制限コネクタはIEEE1394ブリッジであることが好ましい。
【００２２】
記憶手段は、シリアルバス2プロトコルデータ記憶装置を有してもよい。
【００２３】
一実施例では、非同期データ通信システムは、シンクとソースとを有してもよく、少なくともシンクは、前述のデータ記憶システムを組み込み、ソースは、シンクのデータ記憶装置と通信し、ソースからシンクへの非同期暗号化データ転送を容易にするように構成された認証及び暗号化システムを有する。
【００２４】
非同期データ通信システムは、シンクに接続されたIEEE1394ネットワーク及びソースに接続された他のネットワークと通信する中間システムを更に有してもよく、ソースとシンクとの間で伝送される非同期データパケットは、中間システムを介して伝送され、中間システムは、宛先ネットワークへの前方伝送の前に、受信データパケットを宛先ネットワークの適切なネットワークコマンドセットに変換するように構成されたブリッジを有する。
【００２５】
送信データファイルは、コピー制御情報と鍵変更情報とを有するヘッダを有してもよい。
【００２６】
本発明の他の態様によると、
入力を受け入れてアクセス制限コネクタを介して出力するように構成され、格納されたデータのうち少なくとも選択されたデータファイルはコピー制御制限情報を有するデータ記憶手段にデータを格納し、
認証の成功時にのみ、データ記憶手段からのコピー制御制限情報を有するデータファイルへの要求を許可し、
要求の許可時に、要求ファイルを暗号化及び非同期伝送することを有するデータ記憶及び伝送方法が提供される。
【００２７】
暗号化及び伝送ステップは、DTCP仕様に従ってもよい。
【００２８】
その方法は、第１のネットワークで動作して第２のネットワークから通信を受け入れ、第２のネットワークから要求を受信すると、中間システムが第１及び第２のネットワークをブリッジするステップを更に有してもよく、要求ファイルを伝送するステップは、中間システムに伝送し、中間システムが受信データを第２のネットワークの適切なネットワークコマンドセットに変換し、変換されたデータを第２のネットワークに伝送するステップを更に有する。
【００２９】
その技術は、例えばTCP/IPネットワークのように他のネットワークにも拡張され得る。
【００３０】
また、本発明によると、IEEE1394バスで伝送される非同期データを安全化する方法が提供され、
ファイルを要求し、
DTCP仕様に従ってファイルの送信者と受信者との間で認証及び鍵交換を実行し、
ファイルから少なくとも１つのデータパケットを生成し、各パケットは、
DTCP及びIEEE1394ネットワークで使用されるヘッダと一致した標準ヘッダ300と、
CII情報を伝えるために使用されるEMIフィールド311と、鍵変更通知を伝えるために使用される奇数偶数フィールド312とを有し、前記フィールドは等時性パケットのDTCP仕様と同一であるペイロードヘッダ310と、
暗号化データを有し、そのデータを暗号化してDTCPセキュリティコマンドにマッピングするために拡張AV/Cコマンドが実装されるペイロード320と
を有し、
生成された各データパケットをIEEE1394バスで非同期伝送し、
各データパケットを受信及び解読することを有する。
【発明を実施するための最良の形態】
【００３１】
本発明の例について、添付図面を参照して詳細に説明する。
【００３２】
図１は、本発明の一実施例による非同期通信システムの概略図である。
【００３３】
ソース装置10は、MP3符号化オーディオファイル、MPEGマルチメディアファイル等のようなコンテンツデータを保持する記憶装置20を有する。作者／創作者の選択で、コンテンツデータはデータの配信を制限するコピー制御情報(CCI)を有してもよい。ソース装置10は、IEEE1394ブリッジ15を介してIEEE1394バス30に接続されている。
【００３４】
MP3プレイヤのようなシンク装置40は、バス30への接続用のIEEE1394ブリッジ45と、記憶装置46とを有する。
【００３５】
シンク装置40がそれに行使されたいくつかのCCIを備えたMP3ファイルを要求することを一例として検討する。ファイルの要求はソース装置10に送信される。ソース装置10は、シンク装置40と同様に、DTCPシステムを含むIEEE1394チップを有する。暗号化目的の認証及び鍵交換は、等時性伝送についてDTCPに記載されているように生じる。MP3ファイルは、そのCCI状態に従ってソース装置10のIEEE1394チップによりパケット化され暗号化され、バスで非同期伝送される。シンク装置では、ファイルが受信され解読され逆パケット化される。それは記憶装置46に解読されて格納される。記憶装置20と46は、DTCPシステムを含む統合IEEE1394ブリッジを有することが好ましい。IEEE1394ブリッジは記憶装置への唯一のデータアクセス点であり、IDE接続等が備えられないことが必須である。
【００３６】
DTCPは、等時性伝送と同様に非同期伝送に適用される。DTCPを非同期伝送に適用するために、コピー制御情報と鍵変更情報とを含むペイロードヘッダが、パケットヘッダに加えて非同期パケットに含まれる。ペイロードヘッダについては、図３を参照して以下に詳細に説明する。認証及び鍵交換(AKE:Authentication  and  Key  Exchange)を含むその他の機構も、暗号化パケットが等時性ではなく非同期で伝送されるという例外があるが、現在のDTCP仕様に一致する。更に、非同期パケットの暗号化を可能にするために、IEEE1394バスで指定され1394  Trade  Association(www.1394ta.org)により発行されたAudio  Video  device  Command  and  Control  protocolの新しい拡張コマンドが実装され、この内容が参照として組み込まれる。この拡張は、DTCPセキュリティコマンドのマッピングとして使用される。
【００３７】
データに埋め込まれたコピー制御情報は、DTCP仕様に一致するようにファイルのコピーを制限するために装置により使用される。
【００３８】
本発明の好ましい実施例は、IEEE1394接続を介してMP3ファイルをダウンロード可能な携帯用MP3プレイヤに関係する。装置は、機械からHDD又は他の記憶装置にIEEE1394ネットワーク及び／又は接続を介してMP3ファイルをダウンロードする。それはまた、異なる機械に接続され、そこからファイルをダウンロードすることができる。しかし、記憶装置がMP3装置から取り除かれると、インタフェースでの機械的非互換性のため、標準的なPC等によりアクセスできない。適切なIEEE1394コネクタと適切な暗号化／解読システムとを備えた装置のみが、装置のデータにアクセスすることができる。
【００３９】
コンテンツ保護の問題を回避するため、ファイルに埋め込まれたCCIは、ファイルが装置から送信可能であるか否かを決定するために使用される。合法に自由にコピーできる何らかのMP3ファイルが存在する場合には、それは他の装置に転送可能である。このように、システムは著作権のある素材を保護するが、自由に配信可能なMP3の転送を許可する。
【００４０】
図２は、図１のシンク装置の概略図である。
【００４１】
装置は、暗号化モジュール50を介して非同期伝送バッファ60に接続された記憶装置46を有する。バッファ60は、装置のIEEE1394ブリッジのリンクレイヤ100と通信する。装置はまた、装置の証明書を格納する証明書記憶装置80と通信するAKEシステム70を有する。AKEシステム70は、AV/C制御システム90と接続されており、次に、そのAV/C制御システムは、装置のIEEE1394ブリッジのリンクレイヤ100と通信する。リンクレイヤ100は、物理IEEE1394バス30と接続されている物理レイヤ110と通信する。
【００４２】
暗号化モジュール50は、スクランブル／逆スクランブルユニット51と、鍵生成器52と、乱数生成器53と、秘密鍵記憶装置54とを有する。ファイルが記憶装置46から送信されると、ファイルはパケット化される。鍵生成器52は、秘密鍵記憶装置54から秘密鍵を取得し、暗号化鍵を生成する。実際に、秘密鍵はランダムな暗号化鍵を生成するために乱数と共に使用される可能性が高い。次に、それがスクランブル／逆スクランブルユニット51に渡され、パケット化ファイルを暗号化するために使用される。そのファイルは非同期伝送のためバッファ60に渡される。
【００４３】
前述のように、データは受信時に解読され、暗号化されずに記憶装置46に渡される。記憶装置が普通のPCに設置され、回避するセキュリティなしにそのデータが読み取られることを回避するため、記憶装置46のデータの唯一の出力がIEEE1394ブリッジ及びここで図示する構成要素を介することが好ましい。記憶装置46が機械的に取り除かれてPCのような標準的なプラットフォームに信号送信されないようにすることに特に留意すべきである。記憶装置のデータへの如何なるアクセスもブリッジを介し、そのため、IEEE1394スタックとDTCPプロトコルスタックとを利用する。記憶装置のデータへのアクセスが要求されると、DTCP仕様に記載されているように、認証及び鍵交換(AKE:Authentication  and  Key  Exchange)手順が開始する。認証された暗号化可能な装置のみがこのデータへのアクセスを取得することができる。標準的なIDE又はSCSIハードディスクとして使用するために記憶装置を通常のPCに挿入することは機械的非互換性のため不可能であり、標準的なIEEE1394装置(暗号化システムなし)に接続することはAKEの失敗を生じる。
【００４４】
等時性伝送のように、非同期伝送のリンクレイヤで暗号化が起こり得ないことが明らかである。DTCPはリンクレイヤで暗号化を実行し、等時性パケットのEncryption  Mode  Indicator(EMI)及び奇数偶数ビットの提供によってこれを行うことができる。これらはファイルのCCI及び鍵変更が生じるときをそれぞれ示す。非同期パケットでは、これらのビットは利用可能でないため、追加ヘッダとしてペイロードに追加されなければならない。これを実現するため、暗号化がリンクレイヤの上で行われる。
【００４５】
図３は、本発明の一実施例で使用される非同期パケットのフォーマットの概略図である。
【００４６】
パケットは、標準ヘッダ300と、ペイロードヘッダ310と、ペイロード320とを有する。標準ヘッダ300は、DTCP及びIEEE1394ネットワークで使用されるヘッダと一致する。ペイロードヘッダ310は、CCI情報を伝えるために使用されるEMIフィールド311と、鍵変更通知を伝えるために使用される奇数偶数フィールド312とを有する。EMI及び奇数偶数ビットの値と使用は、等時性パケットのDTCP仕様と同一である。ペイロード320は、データの暗号化パケットを有する。
【００４７】
図４は、本発明のその他の実施例による図１及び２のシステムの拡張の概略図である。
【００４８】
IEEE1394バス以外の非同期暗号化リンクに拡張することも可能である。この例示的な用途は、図４に示すように、MP3ファイルがインターネットでMP3プレイヤに直接ダウンロードされることを可能にするセキュアダウンロードアプリケーションである。この例では、ホストPC200のような仲介物がシンク装置210とソース装置220との間にある。シンク装置210からホストPC200の1394バスより上でAV/Cレイヤ210により受信したメッセージは、ブリッジ230により独自コマンドセットに変換され、その他のネットワーク(この例ではTCP/IPネットワーク230)に送信される。この独自コマンドセットは、他のネットワークで転送され得るように、AV/Cコマンドの直接の一対一マッピングである。ソースとシンクとに応じて、コマンドとペイロードがあるパケットから他のパケットに単に切り替えられる場合がある。認証とコンテンツ暗号化は、前述のように行われるが、ソース装置とシンク装置(それぞれ210、220)の間で行われる。中間PC200は、標準的なIEEE1394インタフェースを使用して２つの間で情報を単に転送する。ダウンロードは中間物200のソフトウェアにより制御され、装置210、220の間の認証及び転送プロトコルを起動する。仲介者として動作する一方で、２つの装置210、220の間で伝送されるデータの暗号化のため、中間物はデータにアクセスする手段を有さない。
【００４９】
認証及び暗号化がソース装置220(一般的にリモートPC)で処理される機構は、使用されるハードウェアに依存するが、TCP/IPスタックから対象のものにブリッジする他のアプリケーションを含み、IEEE1394ネットワークで使用されるAV/C又は標準的なハードドライブインタフェースに戻してもよい。
【００５０】
本発明の多数の用途のうちの１つは携帯用メディアプレイヤの分野にあることがわかる。HDD等を含む携帯用MPEGメディアプレイヤのシナリオを想定する場合がある。本発明のシステムにより、その後の視聴のため、DVDは安全にメディアプレイヤにコピーされ得る。このような装置は軽くて(DVDプレイヤを有さない)延長した電池寿命から恩恵を受ける。
【図面の簡単な説明】
【００５１】
【図１】本発明の一実施例による非同期通信システムの概略図
【図２】図１のシンク装置の概略図
【図３】本発明の一実施例で使用される非同期パケットのフォーマットの概略図
【図４】本発明のその他の実施例による図１及び２のシステムの拡張の概略図
【図１】
2006506730.tif 000003
【図２】
2006506730.tif 000004
【図３】
2006506730.tif 000005
【図４】
2006506730.tif 000006
【国際調査報告】
2006506730.tif 000007
2006506730.tif 000008